(57)【要約】【課題】機能成分を含んだ薬剤等を準備したり使用したりすることなく、送り出す風に芳香成分、消臭成分、防臭成分等の機能成分を含ませ、周囲に発散することができるものとする。【解決手段】合成樹脂を含んで形成され、回転することで送風を行う回転送風部材であって、前記合成樹脂が、機能成分を発散する機能剤を含む。また、機能剤は、植物精油、芳香族エステル、又はパラベンのうち少なくとも一つを含む。【選択図】図２
2019163750.tif 000002
【特許請求の範囲】
【請求項１】
合成樹脂を含んで形成され、回転することで送風を行う回転送風部材であって、
前記合成樹脂が、機能成分を発散する機能剤を含むことを特徴とする回転送風部材。
【請求項２】
前記機能剤は、植物精油、芳香族エステル、又はパラベンのうち少なくとも一つを含むことを特徴とする請求項１に記載の回転送風部材。
【請求項３】
前記機能成分は、芳香性、防虫性、防かび性、抗菌性のうち少なくとも一つの作用をなすことを特徴とする請求項１に記載の回転送風部材。
【請求項４】
前記合成樹脂は、ナイロン、ＡＢＳ、ポリカーボネート、ポリエチレン、ポリプロピレン、塩化ビニル、ＰＰ（ポリプロピレン）、ＰＳ（ポリスチレン）、ＰＬＡ（ポリ乳酸）のうち少なくとも一つを含んで構成されることを特徴とする請求項１に記載の回転送風部材。
【請求項５】
前記回転送風部材は、扇風機、手持ち扇風機又は送風機に使用するプロペラ若しくはファン、航空機に使用するプロペラ又はローターのうちの一つであることを特徴とする請求項１に記載の回転送風部材。
【発明の詳細な説明】
【技術分野】
【０００１】
本発明は、機能成分を発散しつつ送風するプロペラやローター等の回転送風部材に関する。
【背景技術】
【０００２】
従来、送風を行う扇風機等には回転送風部材として樹脂製のプロペラが使用されている。また、送風機からの風に、芳香剤や、消臭剤、防虫剤等の機能成分を含ませ、芳香成分や消臭成分、防臭成分を周囲に発散させるものがある
【０００３】
特許文献１には、回転羽根の前面側若しくはその付近に消臭又は芳香等の各種香料又は香料を収納した収納容器を着脱可能に設けて、回転羽根によって生起される風力により香料を拡散してなる扇風機が記載されている。
【０００４】
また、特許文献２にはペンダント式の小型扇風機であり、小型扇風機の機能で風を起こすことによって、薬剤カートリッジ、又は薬剤シール等を収納部位にセットし、薬剤の拡散ができ、また癒しの香りを放つ物質を収納部位にセットし、風の力で、香りを拡散させるものが記載されている。
【先行技術文献】
【特許文献】
【０００５】
【特許文献１】特開２００２−２０２０９０公報
【特許文献２】特開２００８−０５７５１９公報
【発明の概要】
【発明が解決しようとする課題】
【０００６】
しかし、従来、送られる風に芳香成分等の機能成分を含ませるには、プロペラ等の回転送風部材とは別に機能成分を有する薬剤等を配置する必要がある。
【０００７】
本発明は上述した課題に鑑みてなされたものであり、機能成分を含んだ薬剤等を準備したり使用したりすることなく、送り出す風に芳香成分、消臭成分、防臭成分等の機能成分を含ませ、周囲に発散することができる回転送風部材を提供することを目的とする。
【課題を解決するための手段】
【０００８】
前記課題を解決する請求項１に記載の発明は、合成樹脂を含んで形成され、回転することで送風を行う回転送風部材であって、前記合成樹脂が、機能成分を発散する機能剤を含むことを特徴とする。
【０００９】
合成樹脂は回転送風部材に含まれていればよく、合成樹脂製で全体や部分が形成されたりする場合であってもよい。また、ガラス繊維や炭素繊維を用いた繊維強化プラスチック（ＦＲＰ）で形成することができる。合成樹脂の種類は特に限定されず、回転送風部材を形成できればどのようなものでもよい。
【００１０】
回転送風部材は、プロペラ、回転翼等の軸流送風部材、シロッコファン等の遠心送風部材を含む。また、用途は送風機や扇風機のプロペラ、飛行体のプロペラ、ローターを含み、特に限定されない。
【００１１】
また回転送風部材の製造方法も特に問わず、射出成型、切削、プレス、積層造形（３Ｄ加工）で製造されるものを含む。
【００１２】
本発明に係る回転送風部材によれば、回転送風部材が回転して送風することで、回転送風部材を構成する合成樹脂に含まれた機能剤から風中に機能成分を発散することができる。
【００１３】
同じく請求項２に記載の発明は、前記機能剤は、植物精油、芳香族エステル、又はパラベンのうち少なくとも一つを含むことを特徴とする。
【００１４】
機能成分は、合成樹脂に重量２〜３％含有すれば有効である。また、最大では２０〜３０％とすることができる。３０％を超えると強度が低下する。
【００１５】
植物精油は、エッセンシャルオイルとも称され、植物が産出する揮発性の油分である。植物精油は、送風中に特有の芳香を発散する。
【００１６】
芳香族エステルは、芳香を発するエステルであり、低分子のカルボン酸エステルは特有の果実の芳香を有する。香料として使用される。芳香族エステルは、送風中に特有の芳香を発散する。
【００１７】
パラベンは、食品、医薬品、化粧品に使用するパラオキシ安息香酸エステルの総称であり、抗菌機能を有する。
【００１８】
本発明によれば、回転送風部材からの風に芳香を発散したり、抗菌性の成分を発散したりできる。
【００１９】
同じく請求項３に記載の発明は、前記機能成分は、芳香性、防虫性、防かび性、抗菌性のうち少なくとも一つの作用をなすことを特徴とする。
【００２０】
本発明によれば、回転送風部材が発生する風中に芳香性、防虫性、防かび性、抗菌性の機能を有する成分を発散できる。このため、周囲に良好な臭いを発散したり、害虫の接近を防止したり、かびの発生を防止したり、雑菌の繁殖を防止することができる。
【００２１】
同じく請求項４に記載の発明は、前記合成樹脂は、ナイロン、ＡＢＳ、ポリカーボネート、ポリエチレン、ポリプロピレン、塩化ビニル、ＰＰ（ポリプロピレン）、ＰＳ（ポリスチレン）、ＰＬＡ（ポリ乳酸）のうち少なくとも一つを含んで構成されることを特徴とする。
【００２２】
ナイロン、ＰＰ、ＰＳ、ＡＢＳで製造した回転送風部材は低価格である。ポリカーボネートや繊維強化プラスチックで製造した回転送風部材は高い強度を期待できる。
【００２３】
同じく請求項５に記載の発明は、前記送風回転体は、扇風機、手持ち扇風機又は送風機に使用するプロペラ若しくはファン、航空機に使用するプロペラ又はローターのうちの一つであることを特徴とする。
【００２４】
本発明に係る回転送風部材を扇風機や手持ち扇風機、送風機のプロペラやファンに使用すると、送られる風中に芳機能成分を発散でき、芳香成分、防虫成分、防かび性、抗菌性の機能を有する風が届く範囲や使用している室内に周囲に良好な臭いを発散したり、害虫の接近を防止したり、かびの発生を防止したり、雑菌の繁殖を防止することができる。
【００２５】
また、本発明に係る回転送風部材を航空機のプロペラやローターに使用すれば、航空機の飛翔経路を含む領域に良好な臭いを発散したり、当該領域における害虫の接近を防止したり、かびの発生を防止したり、雑菌の繁殖を防止することができる。
【００２６】
即ち、本発明に係る回転送風部材を備えた航空機を屋外の広場、集会場の上空を飛行させることにより、屋外においても広い範囲で良好な臭いを発散したり、当該領域への害虫の接近を防止したり、当該領域におけるかびの発生を防止したり、雑菌の繁殖を防止することができる。また、ホール等の、閉鎖空間内を飛翔させることにより、当該閉鎖空間内に良好な臭いを発散したり、当該閉鎖空間への害虫の接近を防止したり、当該閉鎖空間におけるかびの発生を防止したり、雑菌の繁殖を防止することができる。
【発明の効果】
【００２７】
本発明に係る回転送風部材によれば、別に機能成分を含んだ薬剤等を準備したり使用したりすることなく、送り出す風に芳香成分、消臭成分、防臭成分等の機能成分を含ませ、周囲に発散することができる。
【００２８】
即ち、請求項１に係る回転送風部材によれば、回転送風部材が回転して送風することで、回転送風部材を構成する合成樹脂に含まれた機能剤から風中に機能成分を発散することができる。
【００２９】
また、請求項２に係る回転送風部材によれば、回転送風部材を構成する合成樹脂は、植物精油、芳香族エステル、又はパラベンのうち少なくとも一つを含むから、回転送風部材からの風に芳香を発散したり、抗菌性の成分を発散できる。
【００３０】
また、請求項３に係る回転送風部材によれば、回転送風部材が発生する風中に芳香性、防虫性、防かび性、抗菌性の機能を有する成分を発散できる。このため、周囲に良好な臭いを発散したり、害虫の接近を防止したり、かびの発生を防止したり、雑菌の繁殖を防止することができる。
【００３１】
また、請求項４に係る回転送風部材よれば、回転送風部材を構成する合成樹脂として、ナイロン、ＡＢＳ、ポリカーボネート、ポリエチレン、ポリプロピレン、塩化ビニル、ＰＰ（ポリプロピレン）、ＰＳ（ポリスチレン）、ＰＬＡ（ポリ乳酸）のうち少なくとも一つを含んでいるから、回転送風部材に様々な特性を備えるものとできる。
【００３２】
即ち、ナイロン、ＰＰ、ＰＳ、ＡＢＳで製造した回転送風部材は低価格とすることができる。ポリカーボネートや繊維強化プラスチックで製造した回転送風部材は高い強度を期待できる。
【００３３】
そして、請求項５に係る回転送風部材によれば、回転送風部材は、扇風機、手持ち旋風機、送風機、又は航空機に使用される。よって、扇風機、手持ち扇風機、送風機から送られる風中に芳機能成分を発散でき、芳香成分、防虫成分、防かび性、抗菌性の機能を有する風が届く範囲や、使用している室内に良好な臭いを発散したり、室内への害虫の接近を防止したり、室内におけるかびの発生を防止したり、雑菌の繁殖を防止することができる。
【００３４】
また、本発明に係る回転送風部材を航空機のプロペラやローターに使用すれば、航空機の飛翔経路を含む領域に良好な臭いを発散したり、当該領域における害虫の接近を防止したり、かびの発生を防止したり、雑菌の繁殖を防止することができる。
【００３５】
即ち、本発明に係る回転送風部材を備えた航空機を屋外の広場、集会場の上空を飛行させることにより、屋外においても広い範囲で良好な臭いを発散したり、当該領域への害虫の接近を防止したり、当該領域におけるかびの発生を防止したり、雑菌の繁殖を防止することができる。また、ホール等の、閉鎖空間内を飛翔させることにより、当該閉鎖空間内に良好な臭いを発散したり、当該閉鎖空間への害虫の接近を防止したり、当該閉鎖空間におけるかびの発生を防止したり、雑菌の繁殖を防止することができる。
【図面の簡単な説明】
【００３６】
【図１】本発明の第１実施形態に係る回転送風部材を使用する航空機を示すものであり（ａ）は正面図、（ｂ）は平面図である。
【図２】本発明の第１実施形態に係る回転送風部材を示すものであり、（ａ）はプロペラの底面図、（ｂ）は同プロペラを示す斜視図である。
【図３】本発明の第１実施形態の変形例に係る回転送風部材を示すものであり、（ａ）はプロペラの底面図、（ｂ）は同プロペラを示す斜視図である。
【図４】本発明の第２実施形態に係る回転送風部材を使用する扇風機を示す正面図である。
【図５】本発明の第３実施形態に係る回転送風部材を使用する手持ち扇風機を示す正面図である。
【発明を実施するための形態】
【００３７】
本発明を実施するための形態に係る回転送風部材を図面に基づいて説明する。
【００３８】
＜第１実施形態＞
第１実施形態に係る回転送風部材は航空機であるドローン（無人マルチコプター）のプロペラである。まず、ドローンについて説明する。図１は本発明の第１実施形態に係る回転送風部材を使用する航空機を示すものであり（ａ）は正面図、（ｂ）は平面図である。
【００３９】
ドローン１０は、無線により遠隔で操作可能な無人マルチコプターである。ドローン１０は、図示しない制御回路やバッテリーを搭載した機体本体部１１、機体本体部１１の裏面側に設けられ着陸時に機体を支え保護する２本のスキッド１２，１２、機体本体部１１から放射状に延びて先端側に駆動源であるモーター１３，１３・・を内蔵した４つのアーム１４，１４・・、及び各々のモーター１３，１３・・の出力を受けて回転する回転軸１５，１５・・に固定された回転送風部材である４つのプロペラ２０，２０・・を備えている。なお、符号１６は機体本体部１１の底面側に取り付けられた撮影装置である。
【００４０】
図２は本発明の第１実施形態に係る回転送風部材を示すものであり、（ａ）はプロペラの底面図、（ｂ）は同プロペラを示す斜視図である。図３（ａ）、（ｂ）に示すように、プロペラ２０は回転軸１５（図１（ａ））が圧入により差し込まれる直径１ｍｍ程度の４つの差し込み孔２１，２１・・が設けられたハブ部２２と、ハブ部２２と一体成形され、図１に示したようにプロペラ２０が回転軸１５に装着された状態で回転軸１５と略垂直を成し且つ図２に示すようにハブ部２２から平面視十字状に延びる４片のブレード部２３，２３・・を有している。なお、各々のブレード部２３，２３・・は、ハブ部２２と別個独立の部材とし、ハブ部２２に固定するものでもよい。
【００４１】
また、プロペラ２０のブレード部２３，２３・・は、何れも端部２４，２４・・が直線状に形成されており、ハブ部２２の近傍を除いて略一様な幅寸法を有している。
【００４２】
また、図２（ｂ）に示すように、プロペラ２０のブレード部２３，２３・・は、何れも回転軸１５（図１（ａ））と直交する基準軸３０に対して所定の傾斜角度（ピッチ角）θ１を形成するようにハブ部２２から延設されている。
【００４３】
プロペラ２０は、立体形状を表したデータに基づいて造形を行う三次元印刷装置により製造される。
【００４４】
プロペラ２０のハブ部２２とブレード部２３は、何れもＪＩＳ規格に準拠したデュロメータのタイプＡ（以下、ショアＡ）に基づく硬さが３０（Ｈｓ）となるようにポリ乳酸（ＰＬＡ）とスチレン系エラストマーを混合した軟質の可撓性を有する材料である合成樹脂により構成されている。また、合成樹脂には、芳香性を備える機能剤として、芳香族エステルであるバラの香料を重量２〜３％含有させた。また、機能剤として数十ナノメーターから数百ナノメーターの厚さの界面膜を持つエマルジョン液滴を使用することができる。この機能剤は、エマルジョンの構造で存在する有効成分を有しているため、有効成分がエマルジョンの構造を持たない機能剤と比べて有効成分の放出が穏やかに進む。
【００４５】
プロペラ２０の製造にあっては、上記の合成樹脂を熱で溶融又は軟化させ、図２（ａ）、（ｂ）に示すプロペラ２０の立体形状を表すデータに基づいて上記の合成樹脂を積層させていくことにより、ハブ部２２とブレード部２３が一体的な成型品として成形される。
【００４６】
以上のプロペラ２０を使用したドローン１０を飛翔させることにより、ドローン１０飛翔経路を含む領域に良好な臭いを発散することができる。即ち、ドローン１０を屋外の広場、集会場の上空を飛行させることで、屋外においても広い範囲で良好な臭いを発散させることができる。また、ドローン１０をホール等の、閉鎖空間内を飛翔させることにより、当該閉鎖空間内に良好な臭いを発散させることができる。
【００４７】
また、本実施形態に係るプロペラ２０を使用することで、機能成分を含んだ薬剤、即ち芳香剤等を準備したり使用したりすることなく、送り出す風に芳香成分、消臭成分、防臭成分等の機能成分を含ませ、周囲に発散することができる。よって、構成が簡単になる他、プロペラから芳香成分が消失した場合でもプロペラを交換するだけで常に機能成分を周囲に発散させることができる。
【００４８】
＜第１実施形態の変形例＞
図３は本発明の第１実施形態の変形例に係る回転送風部材を示すものであり、（ａ）はプロペラの底面図、（ｂ）は同プロペラを示す斜視図である。なお、第１実施形態と同様の構成は、同一の符号を付して説明を省略する。
【００４９】
図３に示すように、プロペラ２００は、回転軸１５（図１（ａ））が圧入される略円筒形状のハブ部２２０と、ハブ部２２０と一体成形され、図１に示したようにプロペラ２００が回転軸１５に装着された状態で回転軸１５と略垂直を成し且つ図３（ｂ）に示すようにハブ部２２０を挟んで互いに直線状に配置された２片のブレード部２３０，２３０を有している。
なお、各々のブレード部２３０，２３０は、ハブ部２２０と別個独立の部材とし、ハブ部２２０に固定するものでもよい。
【００５０】
また、図３（ｂ）に示すように、プロペラ２００のブレード部２３０は、何れも回転軸１５（図１）と直交する基準軸３０に対して所定の傾斜角度（ピッチ角）θ２を形成するようにハブ部２２０から延設されている。
【００５１】
プロペラ２００の材質及び製造方法については、第１実施形態のプロペラ２０と同様である。
【００５２】
このプロペラ２００を使用したドローン１０を飛翔させることにより、ドローン１０飛翔経路を含む領域に良好な臭いを発散することができる。即ち、ドローン１０を屋外の広場、集会場の上空を飛行させることで、屋外においても広い範囲で良好な臭いを発散させることができる。また、ドローン１０をホール等の、閉鎖空間内を飛翔させることにより、当該閉鎖空間内に良好な臭いを発散させることができる。
【００５３】
また、本実施形態に係るプロペラ２００を使用することで、機能成分を含んだ薬剤、即ち芳香剤等を準備したり使用したりすることなく、送り出す風に芳香成分、消臭成分、防臭成分等の機能成分を含ませ、周囲に発散することができる。よって、構成が簡単になる他、プロペラから芳香成分が消失した場合でもプロペラを交換するだけで常に機能成分を周囲に発散させることができる。
【００５４】
なお、上記プロペラ２０及びプロペラ２００を構成する合成樹脂は上記例に限らない。合成樹脂としては、ナイロン、ＡＢＳ、ポリカーボネート、ポリエチレン、ポリプロピレン、塩化ビニル、ＰＰ（ポリプロピレン）、ＰＳ（ポリスチレン）、ＰＬＡ（ポリ乳酸）のうち少なくとも一つ成分としていればよい。
【００５５】
ここで、ナイロン、ＰＰ、ＰＳ、ＡＢＳで製造した回転送風部材は低価格とすることができる。ポリカーボネートや繊維強化プラスチックで製造した回転送風部材は高い強度を期待できる。
【００５６】
また、回転送風部材は全体が合成樹脂で構成される必要はなく、一部が合成樹脂で形成されているだけでもよい。また、ガラス繊維や炭素繊維を用いた繊維強化プラスチック（ＦＲＰ）で形成することができる。合成樹脂の種類は特に限定されず、回転送風部材を形成できればどのようなものでもよい。
【００５７】
更に、機能材としてバラの香料である芳香族エステルの他、植物精油、他の芳香族エステル、パラベンのうち少なくとも一つを含むものを使用できる。そして、機能剤は、芳香性の他、防虫性、防かび性、抗菌性を備えるものを使用できる。これにより、ドローンを屋外の広場、集会場の上空を飛行させることにより、屋外においても広い範囲で領域への害虫の接近を防止したり、当該領域におけるかびの発生を防止したり、雑菌の繁殖を防止することができる。また、ホール等の、閉鎖空間内を飛翔させることにより、当該閉鎖空間内への害虫の接近を防止したり、当該閉鎖空間におけるかびの発生を防止したり、雑菌の繁殖を防止することができる。さらに、機能剤として数十ナノメーターから数百ナノメーターの厚さの界面膜を持つエマルジョン液滴を使用することができる。この機能剤は、エマルジョンの構造で存在する有効成分を有しているため、有効成分がエマルジョンの構造を持たない機能剤と比べて有効成分の放出が穏やかに進む。
【００５８】
＜第２実施形態＞
図４は本発明の第２実施形態に係る回転送風部材を使用する扇風機を示す正面図である。本実施形態に係る回転送風部材は扇風機４０に使用するプロペラ５０である。扇風機４０は基台４１、脚部４２、モーター部４３、ガード部４４を備える。基台４１には操作ボタン４５が配置されている。脚部４２は基台４１上に立設され先端部にはモーター部４３が配置される。プロペラ５０はモーター部４３の回転軸に配置され、回転駆動され、手前側に送風を行う。
【００５９】
プロペラ５０は３枚の羽根部５１，５１，５１と回転基部部５２とを備える。羽根部５１，５１，５１はプロペラ５０が回転することより手前側に風が送出されるようにひねり角度をもって配置されている。
【００６０】
本実施形態に係るプロペラ５０は合成樹脂であるポリカーボネートの型成形で形成されている。そして、ポリカーボネートには、芳香性を備える機能剤として、芳香族エステルであるバラの香料を重量２〜３％含有させた。また、機能剤として数十ナノメーターから数百ナノメーターの厚さの界面膜を持つエマルジョン液滴を使用することができる。この機能剤は、エマルジョンの構造で存在する有効成分を有しているため、有効成分がエマルジョンの構造を持たない機能剤と比べて有効成分の放出が穏やかに進む。
【００６１】
よって、本実施形態に係るプロペラ５０を備えた扇風機４０を運転すると、プロペラ５０で発生した風に、芳香成分が発散され、よい香り、たとえばバラの香りが漂う。よって、機能成分を含んだ薬剤等を特別に準備したり使用したりすることなく、送り出す風に芳香成分を含ませ、周囲によい香りを発散することができる。
【００６２】
プロペラ５０を構成する合成樹脂の種類はポリカーボネートに限らず、ナイロン、ＡＢＳ、ポリエチレン、ポリプロピレン、塩化ビニル、ＰＰ（ポリプロピレン）、ＰＳ（ポリスチレン）、ＰＬＡ（ポリ乳酸）のうち少なくとも一つ成分としていればよい。
【００６３】
ここで、ナイロン、ＰＰ、ＰＳ、ＡＢＳで製造した回転送風部材は低価格とすることができる。ポリカーボネートや繊維強化プラスチックで製造した回転送風部材は高い強度を期待できる。
【００６４】
また、プロペラ５０は全体が合成樹脂で構成される必要はなく、一部が合成樹脂で形成されているだけでもよい。また、ガラス繊維や炭素繊維を用いた繊維強化プラスチック（ＦＲＰ）で形成することができる。合成樹脂の種類は特に限定されず、回転送風部材を形成できればどのようなものでもよい。
【００６５】
更に、機能材としてバラの香料である芳香族エステルの他、植物精油、他の芳香族エステル、パラベンのうち少なくとも一つを含むものを使用できる。そして、機能剤は、芳香性の他、防虫性、防かび性、抗菌性を備えるものを使用できる。これにより、扇風機４０を使用する領域への害虫の接近を防止したり、当該領域におけるかびの発生を防止したり、雑菌の繁殖を防止することができる。
【００６６】
＜第３実施形態＞
図５は本発明の第３実施形態に係る回転送風部材を使用する手持ち扇風機を示す正面図である。本実施形態に係る回転送風部材は手持ち扇風機６０に使用するプロペラ７０である。手持ち扇風機６０は持手部６１、ガード部６２を備える。持手部６１には、スイッチが配置され、電源である乾電池とモーターとが内蔵されている。プロペラ７０はモーター回転軸に配置され、回転駆動され、手前側に送風を行う。
【００６７】
プロペラ７０は８枚の羽根部７１，７１，・・・と回転基部部７２とを備える。羽根部７１，７１・・・は、板状でありプロペラ７０が回転することより手前側に風が送出されるようにひねり角度をもって配置されている。
【００６８】
本実施形態に係るプロペラ７０は合成樹脂としてポリ乳酸とスチレン系エラストマーの混合物から成るものであり、熱可塑性を有している。そして、本実施形態ではプロペラ７０は、三次元印刷装置を用いて羽根部７１と７２とが一体となるように製造している。そして、合成樹脂には、芳香性を備える機能剤として、芳香族エステルであるバラの香料を重量２〜３％含有させた。また、機能剤として数十ナノメーターから数百ナノメーターの厚さの界面膜を持つエマルジョン液滴を使用することができる。この機能剤は、エマルジョンの構造で存在する有効成分を有しているため、有効成分がエマルジョンの構造を持たない機能剤と比べて有効成分の放出が穏やかに進む。
【００６９】
よって、本実施形態に係るプロペラ７０を備えた手持ち扇風機６０を駆動すると、プロペラ７０で発生した風に、芳香成分が発散され、よい香り、たとえばバラの香りが漂う。よって、機能成分を含んだ薬剤等を特別に準備したり使用したりすることなく、送り出す風に芳香成分を含ませ、周囲によい香りを発散することができる。
【００７０】
プロペラ７０を構成する合成樹脂の種類は、ポリ乳酸とスチレン系エラストマーの混合物に限らず、ナイロン、ＡＢＳ、ポリエチレン、ポリカーボネート、ポリプロピレン、塩化ビニル、ＰＰ（ポリプロピレン）、ＰＳ（ポリスチレン）のうち少なくとも一つ成分としていればよい。
【００７１】
ここで、ナイロン、ＰＰ、ＰＳ、ＡＢＳで製造した回転送風部材は低価格とすることができる。ポリカーボネートや繊維強化プラスチックで製造した回転送風部材は高い強度を期待できる。
【００７２】
また、プロペラ７０は全体が合成樹脂で構成される必要はなく、一部が合成樹脂で形成されているだけでもよい。また、ガラス繊維や炭素繊維を用いた繊維強化プラスチック（ＦＲＰ）で形成することができる。合成樹脂の種類は特に限定されず、回転送風部材を形成できればどのようなものでもよい。
【００７３】
更に、機能材としてバラの香料である芳香族エステルの他、植物精油、他の芳香族エステル、パラベンのうち少なくとも一つを含むものを使用できる。そして、機能剤は、芳香性の他、防虫性、防かび性、抗菌性を備えるものを使用できる。これにより、手持ち扇風機６０を使用する領域への害虫の接近を防止したり、当該領域におけるかびの発生を防止したり、雑菌の繁殖を防止することができる。
【００７４】
なお、上記各実施形態では、回転送風部材としてプロペラを例として説明したが、回転送風部材としてはローターやシロッコファン等の遠心送風機を採用できる。また、本発明に係る回転送風部材は、ドローン、扇風機、手持ち扇風機のプロペラの他、空調や換気に使用する送風機に使用可能である。
【産業上の利用可能性】
【００７５】
本発明に係る回転送風部材は、別に機能成分を含んだ薬剤等を準備したり使用したりすることなく、送り出す風に芳香成分、消臭成分、防臭成分等の機能成分を含ませ、周囲に発散することができるので、扇風機、送風機、航空機に関する産業において利用可能性がある。
【符号の説明】
【００７６】
１０：ドローン（航空機）
１１：機体本体部
１２：スキッド
１３：モーター
１４：アーム
１５：回転軸
２０：プロペラ（回転送風部材）
２１：込み孔
２２：ハブ部
２３：ブレード部
２４：端部
３０：基準軸
４０：扇風機
４１：基台
４２：脚部
４３：モーター部
４４：ガード部
４５：操作ボタン
５０：プロペラ（回転送風部材）
５１：羽根部
５２：回転基部部
６０：手持ち扇風機
６１：持手部
６２：ガード部
７０：プロペラ
７１：羽根部
７２：回転基部部
２００：プロペラ（回転送風部材）
２２０：ハブ部
２３０：ブレード部
【図１】
2019163750.tif 000003
【図２】
2019163750.tif 000004
【図３】
2019163750.tif 000005
【図４】
2019163750.tif 000006
【図５】
2019163750.tif 000007